(57)【要約】【課題】本発明は、極めて商品価値の高い画期的なスライド装置並びにスライド装置を用いた電子機器を提供することを目的とする。【解決手段】第一部材１に設けたスライドガイド部３間若しくは第一部材１に付設する第一連結体10に設けたスライドガイド部３間に、第二部材２に設けたスライド部４若しくは第二部材２に付設する第二連結体11に設けたスライド部４をスライド自在に係合して、前記第一部材１に対して前記第二部材２を相対スライド自在に連結するスライド装置である。【選択図】図５
2010154434.tif 000002
【特許請求の範囲】
【請求項１】
第一部材に設けたスライドガイド部間若しくは第一部材に付設する第一連結体に設けたスライドガイド部間に、第二部材に設けたスライド部若しくは第二部材に付設する第二連結体に設けたスライド部をスライド自在に係合して、前記第一部材に対して前記第二部材を相対スライド自在に連結するスライド装置であって、前記スライドガイド部は、前記第一部材若しくは前記第一部材に付設する前記第一連結体に設けたスライドガイド形成部に、前記スライド部がスライドするスライド面を有するスライド面形成部を重合配設した構成であり、前記スライドガイド形成部若しくは前記スライド面形成部の少なくとも一方に他方を支承することで前記スライド面の位置を決定する突状支承部を設けたスライド装置において、前記スライド部と前記スライドガイド部とに衝撃が加わった際、前記第二部材若しくは前記第二部材に付設する前記第二連結体に設けた突き当り部が突き当たる被突き当り部を前記第一部材若しくは前記第一部材に付設する前記第一連結体に設けて、前記スライド部と前記スライドガイド部とに加わった衝撃により前記突状支承部が変形するのを防止若しくは抑制して前記スライド面の位置が変更することを防止する衝撃受け機構を具備したことを特徴とするスライド装置。
【請求項２】
前記スライド部の前記スライドガイド部に対するスライド範囲の端部に前記スライド部が位置する際、前記突き当り部と前記被突き当り部とが対向状態にして突き当り可能な状態となるように構成したことを特徴とする請求項１記載のスライド装置。
【請求項３】
前記第一部材若しくは前記第二部材に重合配設した前記第二部材若しくは前記第一部材を重合面方向に重合閉塞状態から開放状態となるように相対スライド自在に連結する構成とし、前記第一部材と前記第二部材とが重合閉塞状態となる前記スライド部の前記スライドガイド部に対するスライド範囲の端部に前記スライド部が位置する際、前記突き当り部と前記被突き当り部とが対向状態にして突き当り可能な状態となるように構成したことを特徴とする請求項２記載のスライド装置。
【請求項４】
前記スライドガイド部は、前記第一部材の左右位置若しくは前記第一部材に付設する前記第一連結体の左右位置に設けた前記スライドガイド形成部夫々の内側に、前記スライド部がスライドする前記スライド面を有する断面コ字状に形成された樹脂製の前記スライド面形成部を重合配設した構成であり、前記スライド部は、前記第二部材の左右位置若しくは前記第二部材に付設する前記第二連結体の左右位置に、前記スライドガイド部の前記スライド面形成部にスライド自在に係合する金属製のスライド片を設けた構成であることを特徴とする請求項１〜３のいずれか１項に記載のスライド装置。
【請求項５】
前記スライドガイド形成部は、前記スライド面形成部を内側に重合配設する断面コ字状に形成されており、前記スライド部の前記スライドガイド部に対するスライド範囲の端部に前記スライド部が位置する際、前記スライドガイド形成部の内側所定部位に、前記第二部材若しくは前記第二部材に付設する前記第二連結体に設けた前記突き当り部が収容されるように構成し、前記突き当り部が収容される前記スライドガイド形成部の内側所定部位に前記突き当り部が突き当たる前記被突き当り部を設けたことを特徴とする請求項１〜４のいずれか１項に記載のスライド装置。
【請求項６】
前記突き当り部は前記スライド部に突設されており、前記スライドガイド形成部に前記突き当り部が収容される際、前記被突き当り部に当接しない近接した対向状態にして突き当り可能な状態で収容されるように前記突き当り部の突出量は設定されていることを特徴とする請求項５記載のスライド装置。
【請求項７】
前記被突き当り部は、前記スライドガイド形成部の内側所定部位に前記スライド面形成部を重合配設しない部位を設けて構成したことを特徴とする請求項５，６のいずれか１項に記載のスライド装置。
【請求項８】
本体部と重合部とを重合配設し、この重合した状態から前記重合部を相対的に重合面方向にすれ違うようにスライドして重合面の一部を露出させることができるように前記本体部と前記重合部とをスライド装置により連結し、このスライド装置には、前記本体部を前記第一部材若しくは前記第二部材とし、前記重合部を前記第二部材若しくは前記第一部材とした前記請求項１〜７のいずれか１項に記載のスライド装置を用いたことを特徴とするスライド装置を用いた電子機器。
【発明の詳細な説明】
【技術分野】
【０００１】
本発明は、例えば携帯電話等の電子機器に使用されるスライド構造を実現するスライド装置に関するものである。
【背景技術】
【０００２】
例えば、数字キーやファンクションキーを配列した操作部を本体部の上側面に設け、所定の表示がなされる液晶パネルなどのディスプレイ部を、前記本体部に重合する重合部の上側面に設け、この本体部と重合部とを前後方向に相対的に移動する構造のスライド式の携帯電話は、重合部に左右に間隔を置いてスライドガイド部としてのガイドレール部を設け、この左右のガイドレール部にスライド係合するスライド部を本体部に設け、ガイドレール部に対してスライド部が相対的にスライドすることで、重合部と本体部とをスライド自在に連結する構成としている。
【０００３】
このスライド式の携帯電話によれば、折り畳み式の携帯電話のように本体部に対して重合部を開き回動操作しなくとも、重合部が本体部に重合したままの状態でディスプレイ部の表示を視認することができ、また、操作部の数字キーやファンクションキーを操作したい場合には、本体部と重合部とを単に相対的にスライドさせるだけで操作部を露出して容易に操作することができる。
【０００４】
ところで、このようなスライド装置を実現するスライド装置は、前述のように左右に設けたスライドガイド部間にスライド部をその両端部をスライド自在に係合させて、スライドガイド部に対してスライド自在に係合する構成とする。
【０００５】
例えば、互いにスライド自在に係合させたい一方の第一部材と他方の第二部材のうち一方の第一部材には、二本のガイドレール部を対向状態に並設し、両端部にスライド係合部を設けたスライド部を他方の第二部材に設け（両端部に各ガイドレール部にスライド自在に係合させるスライド係合部を設けて他方の第二部材の一部をスライド部として構成しても良い。）、このスライド部をその両端部のスライド係合部を前記第一部材のスライドガイド部にスライド係合させてスライドガイド部間にスライド部をスライド係合して第一部材に対して第二部材をスライド係合する構成とする。実際には、スライドガイド部は、第一部材に付設する金属板製の第一連結体を折り返し形成したスライドガイド形成部の内側に、第二部材に付設する金属製の第二連結体の左右縁から成るスライド部がスライドするスライド面を有するスライド面形成部を配設した構成であり、スライド面形成部のスライド面に対向するスライド部の対向スライド面がスライド自在に設けられている。
【０００６】
いずれにしても二つの部材をスムーズに安定性良くスライド自在に連結するスライド装置は、スライド係合の凹凸関係はいずれが凸でも凹でも良いが、スライドガイド部間にスライド部をスライド自在に係合する構成としている。
【０００７】
そのため、このようにスライド装置は、係合するためのクリアランスが必要であり、また、部品の製作精度にも限界があることから、どうしてもガタ付きを生じてしまう。
【０００８】
即ち、必ずスライドガイド部間にスライド部をスライド挿入させなければならない構造（図９に図示したようにスライドガイド部３を構成するスライドガイド形成部10Ａ及びスライド面形成部10Ｂと、スライド部４の三つの部材の組み合わせ構造）のため、そのクリアランス（三つの部材の公差）と製作精度の限界によってスライド部はガタ付きを有し、そのためスムーズにスライドできなかったり、外力が加わるとこのガタ付きのため、よじれたりしてスムーズなスライドに支障を生じたり壊れたりして耐久性に劣り、また、スライド音などを容易に生じたりする等様々な問題が生じる。
【０００９】
また、これを避けるべく、製作精度（寸法精度）を上げて係合クリアランスを限りなく０に近づけることができたとしても、別ロットのパーツとなった場合にはまた寸法にバラ付きを生じ今度はスライド係合できなくなったり、逆に一層ガタ付きが生じたりする場合があるため、たとえ製作精度を上げてパーツのバラ付きを０に近づけられたとしても、別ロットで製作された別パーツにもガタ付きなくスライド係合させるには、結局寸法の異なるパーツを多数種用意しておかなければならない。
【００１０】
そこで、これまでは係合クリアランスや製作精度の限界や別型による製品精度のバラ付きのため多少のガタ付きは止むを得ないとされていたが、本出願人はこのような固定観念を打破し、図10に図示したようにスライドガイド形成部10Ａ若しくはスライド面形成部10Ｂの少なくとも一方に他方を支承することでスライド面５の位置を決定する突状支承部15を設けており、先ずはこの突状支承部が原因でスライド係合できない構成とし、スライド係合させるパーツ（例えばスライドガイド部に対するスライド部）がスライド係合可能となるぎりぎりの高さに押しつぶすことでスライド係合させるように構成することによって、たとえパーツの製作精度が悪くパーツ毎にバラ付きがあってもこのバラ付きに応じて突状支承部をつぶし、この突状支承部のつぶし具合によって常にクリアランス０に近いガタ付きの少ないスライド装置を容易に実現することができ、また製作精度が高く製品にバラ付きがなければ、適正なつぶし量あるいはつぶし後の突状支承部の高さを一度決めてしまえば、予めこの高さの突状支承部となるように突状支承部を一律につぶすことでガタ付きのないスライド装置を容易に量産でき、また、たとえ別ロットのパーツとなってもそのときはまた改めて係合可能となる突状支承部の高さにつぶすことで容易に設定変更でき、常にガタ付きのないスライド装置を提供できることとなるなど簡易な改良と簡易な作業によってガタ付きのほとんどないスライド構造を実現できる画期的なスライド装置並びにスライド装置を用いた電子機器を特開２００８−３４９６７号（以下、従来例）により提供している。
【００１１】
【特許文献１】特開２００８−３４９６７号公報
【発明の開示】
【発明が解決しようとする課題】
【００１２】
ところが、この従来例を用いての第一部材と第二部材とを組み付けた後、例えば落下させてスライド部とスライドガイド部との間に衝撃が加わった際、前述のように高さを調整した突状支承部が変形してしまいこの突状支承部が元の状態に戻らず、この突状支承部によって決定されていたスライド面の位置が変更してしまいガタ付きが生じてしまう場合がある。つまり突状支承部で調整していたパーツ同士のクリアランスがパーツ同士間に発生してしまいガタ付きが生じてしまうのである。
【００１３】
本発明は、前述したガタ付きのないスライド装置について更なる研究開発を進め、その結果、極めて商品価値の高い画期的なスライド装置並びにスライド装置を用いた電子機器を開発した。
【課題を解決するための手段】
【００１４】
添付図面を参照して本発明の要旨を説明する。
【００１５】
第一部材１に設けたスライドガイド部３間若しくは第一部材１に付設する第一連結体10に設けたスライドガイド部３間に、第二部材２に設けたスライド部４若しくは第二部材２に付設する第二連結体11に設けたスライド部４をスライド自在に係合して、前記第一部材１に対して前記第二部材２を相対スライド自在に連結するスライド装置であって、前記スライドガイド部３は、前記第一部材１若しくは前記第一部材１に付設する前記第一連結体10に設けたスライドガイド形成部10Ａに、前記スライド部４がスライドするスライド面５を有するスライド面形成部10Ｂを重合配設した構成であり、前記スライドガイド形成部10Ａ若しくは前記スライド面形成部10Ｂの少なくとも一方に他方を支承することで前記スライド面５の位置を決定する突状支承部15を設けたスライド装置において、前記スライド部４と前記スライドガイド部３とに衝撃が加わった際、前記第二部材２若しくは前記第二部材２に付設する前記第二連結体11に設けた突き当り部７が突き当たる被突き当り部８を前記第一部材１若しくは前記第一部材１に付設する前記第一連結体10に設けて、前記スライド部４と前記スライドガイド部３とに加わった衝撃により前記突状支承部15が変形するのを防止若しくは抑制して前記スライド面５の位置が変更することを防止する衝撃受け機構を具備したことを特徴とするスライド装置に係るものである。
【００１６】
また、前記スライド部４の前記スライドガイド部３に対するスライド範囲の端部に前記スライド部４が位置する際、前記突き当り部７と前記被突き当り部８とが対向状態にして突き当り可能な状態となるように構成したことを特徴とする請求項１記載のスライド装置に係るものである。
【００１７】
また、前記第一部材１若しくは前記第二部材２に重合配設した前記第二部材２若しくは前記第一部材１を重合面方向に重合閉塞状態から開放状態となるように相対スライド自在に連結する構成とし、前記第一部材１と前記第二部材２とが重合閉塞状態となる前記スライド部４の前記スライドガイド部３に対するスライド範囲の端部に前記スライド部４が位置する際、前記突き当り部７と前記被突き当り部８とが対向状態にして突き当り可能な状態となるように構成したことを特徴とする請求項２記載のスライド装置に係るものである。
【００１８】
また、前記スライドガイド部３は、前記第一部材１の左右位置若しくは前記第一部材１に付設する前記第一連結体10の左右位置に設けた前記スライドガイド形成部10Ａ夫々の内側に、前記スライド部４がスライドする前記スライド面５を有する断面コ字状に形成された樹脂製の前記スライド面形成部10Ｂを重合配設した構成であり、前記スライド部４は、前記第二部材２の左右位置若しくは前記第二部材２に付設する前記第二連結体11の左右位置に、前記スライドガイド部３の前記スライド面形成部10Ｂにスライド自在に係合する金属製のスライド片４Ａを設けた構成であることを特徴とする請求項１〜３のいずれか１項に記載のスライド装置に係るものである。
【００１９】
また、前記スライドガイド形成部10Ａは、前記スライド面形成部10Ｂを内側に重合配設する断面コ字状に形成されており、前記スライド部４の前記スライドガイド部３に対するスライド範囲の端部に前記スライド部４が位置する際、前記スライドガイド形成部10Ａの内側所定部位に、前記第二部材２若しくは前記第二部材２に付設する前記第二連結体11に設けた前記突き当り部７が収容されるように構成し、前記突き当り部７が収容される前記スライドガイド形成部10Ａの内側所定部位に前記突き当り部７が突き当たる前記被突き当り部８を設けたことを特徴とする請求項１〜４のいずれか１項に記載のスライド装置に係るものである。
【００２０】
また、前記突き当り部７は前記スライド部４に突設されており、前記スライドガイド形成部10Ａに前記突き当り部７が収容される際、前記被突き当り部８に当接しない近接した対向状態にして突き当り可能な状態で収容されるように前記突き当り部７の突出量は設定されていることを特徴とする請求項５記載のスライド装置に係るものである。
【００２１】
また、前記被突き当り部８は、前記スライドガイド形成部10Ａの内側所定部位に前記スライド面形成部10Ｂを重合配設しない部位を設けて構成したことを特徴とする請求項５，６のいずれか１項に記載のスライド装置に係るものである。
【００２２】
また、本体部と重合部とを重合配設し、この重合した状態から前記重合部を相対的に重合面方向にすれ違うようにスライドして重合面の一部を露出させることができるように前記本体部と前記重合部とをスライド装置により連結し、このスライド装置には、前記本体部を前記第一部材１若しくは前記第二部材２とし、前記重合部を前記第二部材２若しくは前記第一部材１とした前記請求項１〜７のいずれか１項に記載のスライド装置を用いたことを特徴とするスライド装置を用いた電子機器に係るものである。
【発明の効果】
【００２３】
本発明は上述のように構成したから、スライド面の位置を決定する突状支承部の存在により、常にクリアランス０に近いガタ付きの少ないスライド装置を容易に実現できるのは勿論、万一の落下の際など、スライド部とスライドガイド部とに加わった衝撃によって突状支承部が変形しそうな状況になったとしても確実に防止され、常にガタ付きのない状態を維持することができるスライド装置を提供できることとなる。
【００２４】
即ち、本発明は、簡易な構造によって常にガタ付きが生じることがないスライド構造を実現できる画期的なスライド装置並びにスライド装置を用いた電子機器となる。
【００２５】
また、請求項２記載の発明においては、スライド部のスライドガイド部に対するスライド範囲の端部にスライド部が位置する際、突き当り部と被突き当り部とが対向状態にして突き当り可能な状態となるように構成しても良く、このことから、前述した突状支承部が変形することが起こる可能性の高い場面において確実に対応することができる。
【００２６】
即ち、例えば第一部材若しくは第二部材に重合配設した第二部材若しくは第一部材を重合面方向に重合閉塞状態から開放状態となるように相対スライド自在に連結する構造のスライド式の携帯電話において、この携帯電話を落下させてしまうのは、第一部材と第二部材とが重合閉塞状態の場合と完全に開放した開放状態の場合が多く、この落下の際の衝撃において突状支承部が変形してしまうことが往々にして起きる。
【００２７】
そこで、第一部材と第二部材とが重合閉塞状態若しくは開放状態の少なくとも一方となる、スライド部のスライドガイド部に対するスライド範囲の端部にスライド部が位置する際、突き当り部と被突き当り部とが対向状態にして突き当り可能な状態となるように構成することで、衝撃受け機構が機能する場面を突状支承部の変形が起こり易い多い場面に対応させて確実にガタつきの発生を防止することがき、しかも、衝撃受け機構が機能する場面を部分的に設定することで、無駄の無い極めて効率の良い構造となるなど秀れたスライド装置となる。
【００２８】
また、請求項３〜７記載の発明においては、一層前記作用・効果が良好に発揮される一層秀れたスライド装置となる。
【００２９】
また、請求項８記載の発明においては、前記作用効果を確実且つ良好に発揮することができる極めて実用性に秀れたスライド装置を用いた電子機器となる。
【発明を実施するための最良の形態】
【００３０】
好適と考える本発明の実施形態（発明をどのように実施するか）を、図面に基づいて本発明の作用を示して簡単に説明する。
【００３１】
スライドガイド部３を構成するスライドガイド形成部10Ａにスライド面形成部10Ｂを重合配設した際、スライドガイド形成部10Ａ若しくはスライド面形成部10Ｂの少なくとも一方に設けた突状支承部15が他方を支承することで、スライドガイド部３のスライド面５の位置が決定する。前述した従来例のように、例えばこの突状支承部15が原因でスライドガイド部３間にスライド部４がスライド係合できない構成とし、スライド係合させるパーツ（例えばスライドガイド部３に対するスライド部４）がスライド係合可能となるぎりぎりの高さに突状支承部15を押しつぶすことでスライド係合させるように構成することによって、この突状支承部15によりスライド面５の位置を最適な位置に決定することができ十分にクリアランスを抑えることができ、ガタ付きの少ないスライドガイド部３に対するスライド部４のスライド係合を実現できる効果が発揮される。
【００３２】
ところで、本発明に係るスライド装置を介して相対スライド自在に連結した第一部材１と第二部材２を落下するなどして、スライド部４とスライドガイド部３とに衝撃が加わった際、第二部材２若しくは第二部材２に付設する第二連結体11に設けた突き当り部７が、第一部材１若しくは第一部材１に付設する第一連結体10に設けた被突き当り部８に突き当たることになり、この突き当り部７と被突き当り部８とから成る衝撃受け機構により、スライド部４とスライドガイド部３とに加わった衝撃によって突状支承部15が変形するのを防止若しくは抑制し得ることになる。
【００３３】
即ち、本発明は、前述したようにスライドガイド部３を構成するスライドガイド形成部10Ａ若しくはスライド面形成部10Ｂの少なくとも一方に他方を支承する突状支承部15を設けることで、ガタ付きの少ないスライドガイド部３に対するスライド部４のスライド係合を実現する一方、この突状支承部15が機能する部位とは別の部位にスライド部４とスライドガイド部３とに加わった衝撃を積極的に受ける衝撃受け機構（突き当り部７及び被突き当り部８）を設けることで、突状支承部15が変形するのを防止若しくは抑制することになり、前述した従来例のように突状支承部15が変形して元に戻らないような状況となることはなく、よって、突状支承部15が変形しそうな状況になったとしても確実に防止され、常にガタ付きのない状態を維持することができるスライド装置を提供できることとなる。
【００３４】
また、例えば、スライド部４のスライドガイド部３に対するスライド範囲の端部にスライド部４が位置する際、突き当り部７と被突き当り部８とが対向状態にして突き当り可能な状態となるように構成した場合には、前述した突状支承部15が変形することが起こる可能性の高い場面において確実に対応することができる。
【００３５】
即ち、例えば第一部材１若しくは第二部材２に重合配設した第二部材２若しくは第一部材１を重合面方向に重合閉塞状態から開放状態となるように相対スライド自在に連結する構造のスライド式の携帯電話において、この携帯電話を落下させてしまうのは、第一部材１と第二部材２とが重合閉塞状態の場合と完全に開放した開放状態の場合が多く（特に重合閉塞状態の場合が多い）、この落下の際の衝撃において突状支承部15が変形してしまうことが往々にして起きる。
【００３６】
そこで、例えば第一部材１と第二部材２とが重合閉塞状態若しくは開放状態の少なくとも一方となる、スライド部４のスライドガイド部３に対するスライド範囲の端部にスライド部４が位置する際、突き当り部７と被突き当り部８とが対向状態にして突き当り可能な状態となるように構成することで、衝撃受け機構が機能する場面を突状支承部15の変形が起こり易い多い場面に対応させて確実にガタつきの発生を防止することがき、しかも、衝撃受け機構が機能する場面を部分的に設定することで、この衝撃受け機構がスライド部４のスライドガイド部３に対するスライド範囲において常に機能するように設けた場合に比し無駄の無い極めて効率の良い構造となるなど秀れたスライド装置となる。
【００３７】
また、例えば、第一部材１若しくは第二部材２に重合配設した第二部材２若しくは第一部材１を重合面方向に重合閉塞状態から開放状態となるように相対スライド自在に連結する構成とし、第一部材１と第二部材２とが重合閉塞状態となるスライド部４のスライドガイド部３に対するスライド範囲の端部にスライド部４が位置する際、突き当り部７と被突き当り部８とが対向状態にして突き当り可能な状態となるように構成した場合には、例えばスライド式の携帯電話を落下させてしまう場面として特に多い第一部材１と第二部材２とが重合閉塞状態の際に衝撃受け機構が機能するように構成したから、この衝撃受け機構は必要な場面において確実に機能することになる。
【００３８】
また、例えば、スライドガイド形成部10Ａは、スライド面形成部10Ｂを内側に重合配設する断面コ字状に形成されており、スライド部４のスライドガイド部３に対するスライド範囲の端部にスライド部４が位置する際、スライドガイド形成部10Ａの内側所定部位に、第二部材２若しくは第二部材２に付設する第二連結体11に設けた突き当り部７が収容されるように構成し、突き当り部７が収容されるスライドガイド形成部10Ａの内側所定部位に突き当り部７が突き当たる被突き当り部８を設けた場合には、スライドガイド部３を構成する部位（スライドガイド形成部10Ａ）を有効に利用して極めて効率の良い構造であり、しかも、突き当り部７を断面コ字状のスライドガイド形成部10Ａの内側所定部位に収容させる構造であるから、突き当り部７と被突き当り部８とを簡易且つ確実に対向状態にして突き当り可能な状態とすることができ、しかも、単なる平板状の立ち上がり壁であった場合に比し、補強リブ効果の望める極めて強度の高い断面コ字状のスライドガイド形成部10Ａでスライド部４とスライドガイド部３とに加わった衝撃を受ける構造とすることで、確実に衝撃受け機構が機能することになる。
【００３９】
また、例えば、突き当り部７はスライド部４に突設されており、スライドガイド形成部10Ａに突き当り部７が収容される際、被突き当り部８に当接しない近接した対向状態にして突き当り可能な状態で収容されるように突き当り部７の突出量が設定されている場合には、スライド部４とスライドガイド部３とに衝撃が加わらない正常な状況下におけるスライドガイド部３に対するスライド部４のスライドは、衝撃受け機構が障害になることは無く円滑に行なわれることになる。
【００４０】
また、例えば、被突き当り部８は、スライドガイド形成部10Ａの内側所定部位にスライド面形成部10Ｂを重合配設しない部位を設けて構成した場合には、スライド面形成部10Ｂを重合配設するスライドガイド形成部10Ａの一部をそのまま被突き当り部８として機能させることができ、極めて効率の良い構造でありコスト安にして量産性に秀れることになる。
【実施例】
【００４１】
本発明の具体的な一実施例について図面に基づいて説明する。
【００４２】
本実施例は、携帯電話に本発明を適用したもので、数字キーやファンクションキーを配列した操作部12を上側面に設けた本体部１を第一部材１とし、これにスライド自在に重合して前記操作部12を隠蔽・露出自在に開閉する重合部２を第二部材２とし、この第二部材２には所定の表示がなされる液晶パネルなどのディスプレイ部13を上側面に設け、この第一部材１と第二部材２をスライド自在に連結するスライド装置に関するものである。
【００４３】
即ち、本実施例では、本体部１たる第一部材１に設けたスライドガイド部３間に、重合部２たる第二部材２に設けたスライド部４をスライド自在に係合して、前記第一部材１に対して前記第二部材２を相対スライド自在に連結するスライド装置としている。
【００４４】
具体的には第一部材１の上面側にガイドレール状に形成したスライドガイド部３を左右に対向状態に設けているが、本実施例に係るスライドガイド部３は、金属製の打ち抜き材であるスライドガイド部形成板（第一部材１に付設する第一連結体10）の左右縁を断面コ字状に折り返したスライドガイド形成部10Ａに、スライド部４がスライドするスライド面５を有する断面コ字状のスライド面形成部10Ｂを配設した構成であり、この断面コ字状のスライドガイド部３を第一連結体10の左右縁に互いに凹方向が向き合わせ状態となるように設けた構成としている。
【００４５】
一方、第二部材２の重合面側に前記スライドガイド部３間にスライド係合するスライド部４を設けている。
【００４６】
このスライド部４は、金属製の打ち抜き材であるスライド部形成板（第二部材２に付設する第二連結体11）で構成され、第一連結体10の左右両縁に設けた各スライドガイド部３にスライド係合するスライド係合部４Ａとしてのスライド片４Ａを折り曲げて突出形成した構成とし、このように左右にスライド片４Ａを設けた板状のスライド部４を左右のスライドガイド部３間にスライド自在に係合する構成としている。
【００４７】
尚、本実施例では、スライドガイド部３は第一部材１に付設する第一連結体10に設ける構成としたが、第一部材１の所定部位を突設するか若しくは第一部材１の所定位置に金属製の部材を付設することで形成したスライドガイド形成部10Ａにスライド面形成部10Ｂを重合配設してスライドガイド部３を設けても良く、また、スライド部４は第二部材２に付設する第二連結体11に設ける構成としたが、第二部材２の所定部位を突設するか若しくは第二部材２の所定位置に金属製の部材を付設することで形成したスライド片４Ａをスライド部４として設けるようにしても良い。
【００４８】
また、本実施例では、前述したようにスライドガイド部３は、第一部材１若しくは第一部材１に付設する第一連結体10に設けたスライドガイド形成部10Ａの内側に、スライド部４がスライドするスライド面５を有するスライド面形成部10Ｂを重合配設した構成であり、スライドガイド形成部10Ａ若しくはスライド面形成部10Ｂの少なくとも一方に他方を支承することでスライド面５の位置を決定する突状支承部15を設けている。
【００４９】
即ち、本実施例では、スライドガイド部３間にスライド部４をスライド自在に係合することができなくなる高さの突状支承部15或いは結果的にスライド面形成部10Ｂのスライド面５間の距離が狭くなってスライド自在に係合できなくなる突状支承部15を設けている。
【００５０】
具体的には、突状支承部15をスライド面形成部10Ｂの内側となるスライド面５に設けず、スライド面形成部10Ｂのスライド面５とは反対側の背面部に、スライドガイド形成部10Ａの内面に当接する突状支承部15を突出状態に設けている。
【００５１】
この突状支承部15の高さによってスライド面形成部10Ｂのスライド面５の位置が出入り調整される構成とし、この突状支承部15を所定の高さに押しつぶすことでスライドガイド部３間にスライド部４をスライド自在に係合し得るように構成している。
【００５２】
尚、突状支承部15は、スライドガイド形成部10Ａにおけるスライド面形成部10Ｂを重合配設する内面に設けても良く、この折り返し状金属板に突出形成した突状支承部15を所定高さに押しつぶすことで前記スライドガイド部３間に前記スライド部４をスライド自在に係合し得るように構成してもよい。
【００５３】
また、突状支承部15は、スライド面形成部10Ｂの背面部にして少なくともスライド部４のスライドガイド部３に対するスライド範囲の両端部位置及び中央部位置（計３箇所）に存するように設けている。即ち、突状支承部15は、一カ所でも複数カ所でも良いが、このようにスライド範囲の両端部位置及び中央部位置に存するように設けることで、安定性が良くガタ付きもなく係合でき、常にスムーズなスライドができると共にガタ付きを極力抑えることができる。
【００５４】
また、突状支承部15は、膨出湾曲状に突出した形状とすることが望ましい。このように形成することで、つぶしてもその頂部がたとえ平坦につぶれるとしてもその縁部は丸みを帯びスライドがスムーズに行なえる。
【００５５】
従って、半球状に膨出突出させることが好ましいが、本実施例ではスライド面形成部10Ｂの長さ方向に長さを有する細長形状としている。
【００５６】
また、本実施例は、スライド部４とスライドガイド部３とに衝撃が加わった際、第二部材２若しくは第二部材２に付設する第二連結体11に設けた突き当り部７が突き当たる被突き当り部８を第一部材１若しくは第一部材１に付設する第一連結体10に設けて、スライド部４とスライドガイド部３とに加わった衝撃により突状支承部15が変形するのを防止若しくは抑制してスライド面５の位置が変更することを防止する衝撃受け機構を具備している。尚、この突状支承部15が変形するのを抑制するとは、例えば素材の弾性により若干変形したとしても元の状態に復元する程度の変形度合いに抑制することを言う。
【００５７】
この衝撃受け機構は、第一部材１若しくは第二部材２に重合配設した第二部材２若しくは第一部材１を重合面方向に重合閉塞状態から開放状態となるように相対スライド自在に連結する構成において、第一部材１と第二部材２とが重合閉塞状態となるスライド部４のスライドガイド部３に対するスライド範囲の端部にスライド部４が位置する際、突き当り部７と被突き当り部８とが対向状態にして突き当り可能な状態となるように構成している。尚、第一部材１と台に部材とが開放状態となるスライド部４のスライドガイド部３に対するスライド範囲の端部にスライド部４が位置する際、突き当り部７と被突き当り部８とが対向状態にして突き当り可能な状態となるように構成しても良い。
【００５８】
具体的には、前述したようにスライドガイド形成部10Ａは、スライド面形成部10Ｂを内側に重合配設する断面コ字状に形成されており、スライド部４のスライドガイド部３に対するスライド範囲の端部にスライド部４が位置する際、断面コ字状のスライドガイド形成部10Ａの内側所定部位に、第二部材２若しくは第二部材２に付設する第二連結体11に設けた突き当り部７が収容されるように構成し、突き当り部７が収容されるスライドガイド形成部10Ａの内側所定部位に突き当り部７が突き当たる被突き当り部８を設けている。
【００５９】
また、突き当り部７は、第二連結体11の打ち抜き形成の際にスライド部４の先端所定部位に一体に突出状に形成されており、スライドガイド形成部10Ａに突き当り部７が収容される際、被突き当り部８に当接しない近接した対向状態にして突き当り可能な状態で収容されるように突き当り部７の突出量は設定されている。尚、突状の突き当り部７は切削でも型成形で設けるようにしても良い。
【００６０】
また、被突き当り部８は、断面コ字状のスライドガイド形成部10Ａの金属面である内側所定部位にスライド面形成部10Ｂを重合配設しない部位を設けて構成している。
【００６１】
尚、本実施例では、突き当り部７は第二部材２に付設する第二連結体11に設ける構成としたが、第二部材２の所定部位を突設するか若しくは第二部材２の所定位置に金属製の専用部材を付設することで形成しても良く、一方、被突き当り部８は第一部材１に付設する第一連結体10に設ける構成としたが、第一部材１の所定部位を突設するか若しくは第一部材１の所定位置に金属製の専用部材を付設することで形成しても良い。
【００６２】
また、本実施例では第一部材１に設ける一対のスライドガイド部３、即ち本実施例では左右にスライドガイド部３を形成したスライドガイド部形成板を第一連結体10として第一部材１に設け、この各スライドガイド部３に係合するスライド係合部４Ａ（スライド片）を左右に設けた板状のスライド部４を第二連結体11として第二部材２に設け、この第一連結体10と第二連結体11とを、付勢体14により、前記第一連結体10に対して前記第二連結体11を所定長スライドさせるまでは、前記スライド方向とは逆方向に戻り動する付勢が生じ、前記所定長スライドさせると逆に前記スライド方向に進み動する付勢が生じるように連結した構成となっている。
【００６３】
具体的には、付勢体14は、一端を第一連結体10に連結し、他端を第二連結体11に連結した構成としている。
【００６４】
本実施例で使用される付勢体14は、本体部１（第一連結体10）に連結する第一材14ａと、この第一材14ａに対して離反方向に移動自在となり重合部２に連結する第二材14ｂと、第一材14ａ及び第二材14ｂが互いに離反方向（正逆反対方向）に付勢を伴いスライド自在に連結する発条14ｃ（コイルバネ）とを有するものである。
【００６５】
具体的には、前記本体部１（第一連結体10）に回動自在に連結する第一材14ａと、前記重合部２（第二連結体11）に回動自在に連結する第二材14ｂとを、第一材14ａ及び第二材14ｂが互いに離反方向にスライド自在に連結する伸縮自在な可動体とし、この第一材14ａと第二材14ｂとの間に、第一材14ａと第二材14ｂとを離反方向にスライド付勢する発条14ｃを設けて、第一材14ａと第二材14ｂとを離反方向へ付勢する付勢機構として設けている。
【００６６】
従って、第一材14ａ及び第二材14ｂからなる可動体は、第一材14ａの枢着連結部と第二材14ｂの枢着連結部とを接近方向に移動させる要領で収縮させた際、発条14ｃにより抗縮付勢が生じ、この抗縮付勢は第一連結体10及び第二連結体11夫々を互いに離反方向に付勢する付勢力となる。
【００６７】
以上の構成からなる付勢体14を本体部１と重合部２とのスライド装置に設ける場合、第一材14ａの枢着連結部を本体部１（第一連結体10）に回動自在に枢着連結するとともに、第二材14ｂの枢着連結部を重合部２（第二連結体11）に回動自在に枢着連結する。
【００６８】
この状態で、本体部１に対して重合部２を所定長スライドさせるまでは、重合部２が重合閉塞位置まで自動的に戻りスライドする戻り付勢が生じ、所定長スライドさせると逆にスライド開放位置まで自動的に進みスライドする進み付勢が生じることになる。
【００６９】
尚、付勢体14としては、左右に連結端を有する略ヘ字状体で構成し、この弾性部材の左右の連結端が互いに離れようとする拡角付勢が生じるようにした付勢体、具体的には、ヘ字状の板バネ若しくはヘ字状の線バネ又は中間部を巻回してコイル状部を頂部に有して左右に連結端を有する全体視略ヘ字状のコイルバネとした付勢体を採用しても良く、本実施例の特性を発揮するものであれば適宜採用し得るものである。
【００７０】
本実施例は上述のように構成したから、スライド面５の位置を決定する突状支承部15の存在により、常にクリアランス０に近いガタ付きの少ないスライド装置を容易に実現できるのは勿論、万一の落下の際など、スライド部４とスライドガイド部３とに加わった衝撃によって突状支承部15が変形しそうな状況になったとしても確実に防止され、常にガタ付きのない状態を維持することができるスライド装置を提供できることとなる。
【００７１】
尚、本発明は、本実施例に限られるものではなく、各構成要件の具体的構成は適宜設計し得るものである。
【図面の簡単な説明】
【００７２】
【図１】本実施例の使用状態説明図である。
【図２】本実施例の使用状態説明図である。
【図３】本実施例を示す分解斜視図である。
【図４】本実施例に係る要部を示す斜視図である。
【図５】本実施例に係る要部の説明斜視図である。
【図６】本実施例に係る要部の説明断面図である。
【図７】本実施例に係る要部の説明断面図である。
【図８】本実施例に係る要部の説明断面図である。
【図９】従来例に係る要部の説明断面図である。
【図１０】従来例に係る要部の説明断面図である。
【符号の説明】
【００７３】
１  第一部材
２  第二部材
３  スライドガイド部
４  スライド部
４Ａ  スライド片
５  スライド面
７  突き当り部
８  被突き当り部
10  第一連結体
10Ａ  スライドガイド形成部
10Ｂ  スライド面形成部
11  第二連結体
15  突状支承部
【図１】
2010154434.tif 000003
【図２】
2010154434.tif 000004
【図３】
2010154434.tif 000005
【図４】
2010154434.tif 000006
【図５】
2010154434.tif 000007
【図６】
2010154434.tif 000008
【図７】
2010154434.tif 000009
【図８】
2010154434.tif 000010
【図９】
2010154434.tif 000011
【図１０】
2010154434.tif 000012
【手続補正書】
【提出日】平成22年2月16日(2010.2.16)
【手続補正１】
【補正対象書類名】明細書
【補正対象項目名】００５７
【補正方法】変更
【補正の内容】
【００５７】
この衝撃受け機構は、第一部材１若しくは第二部材２に重合配設した第二部材２若しくは第一部材１を重合面方向に重合閉塞状態から開放状態となるように相対スライド自在に連結する構成において、第一部材１と第二部材２とが重合閉塞状態となるスライド部４のスライドガイド部３に対するスライド範囲の端部にスライド部４が位置する際、突き当り部７と被突き当り部８とが対向状態にして突き当り可能な状態となるように構成している。尚、第一部材１と第二部材２とが開放状態となるスライド部４のスライドガイド部３に対するスライド範囲の端部にスライド部４が位置する際、突き当り部７と被突き当り部８とが対向状態にして突き当り可能な状態となるように構成しても良い。